(57)【要約】【課題】従来の電気機器メンテナンス機能では、複数のスイッチを押しながらメンテナンスモードに移行して状態を確認する必要があり、操作性が複雑であるとともに、状態の確認のみで実際の機器動作をおこなって確認することができなく、実際に動作が可能かどうか判断できないという問題点があった。【解決手段】動作確認モードの設定を行なう設定入力手段と、接続する前記電気機器のオンオフを行なうようあらかじめプログラムされた動作確認手段とを備え、前記設定入力手段で動作確認モードに設定されたら前記動作確認手段により接続する前記電気機器を所定時間ずつ連続してオンオフを行なうようにした。【選択図】図１
2005216709.tif 000002
【特許請求の範囲】
【請求項１】
電気機器と接続し、外部から信号を受信して前記電気機器の制御を行なう機器アダプタであって、前記電気機器の動作確認モードの設定を行なう設定入力手段と、接続する前記電気機器がその動作をするようあらかじめプログラムされた動作確認手段とを備え、前記設定入力手段で動作確認モードに設定されたら前記動作確認手段により接続する前記電気機器を所定時間ずつ連続してオンオフを行なうようにした機器アダプタ。
【請求項２】
設定入力手段で動作確認モードに設定されたら、動作確認モード中であることを知らせる表示手段を備える請求項１記載の機器アダプタ。
【請求項３】
表示手段はＬＥＤ表示である請求項２記載の機器アダプタ。
【請求項４】
動作確認手段での電気機器のオンオフ制御を内部に電灯線通信部を備えることにより行なう請求項１から３のいずれかに記載の機器アダプタ。
【発明の詳細な説明】
【技術分野】
【０００１】
本発明は、電気機器の状態を監視し、その状態から電気機器を制御する機能を持ちメンテナンス機能として動作確認をおこなうことができる機器制御装置に関する。
【背景技術】
【０００２】
従来の機器の機能確認として、図２で示すような機能確認付き調理器があった（例えば特許文献１）。
【０００３】
この特許文献１の例について図２を用いて説明する。図２において、調理器Ａの表面に設けられたスイッチ５１、５２、４１と、調理器の点、消化ボタン６２と、調理用のスイッチ４１、３１、３２、３３、３４と、調理器の情報を表示するＬＥＤ７とから構成される。
【０００４】
以下に、その動作について説明する。スイッチ５１、５２、４１を全て押圧しながら点消火ボタン６２を押圧操作し、３秒以内に、スイッチ４１、３１、３２、３３、３４、５３の内、何れか一つを押圧すれば、押圧したスイッチに関連した調理モードとなり、ＬＥＤ７にサーミスタデータ等のメンテナンス情報が表示される。
【特許文献１】特開平５−３０６８１７号公報（図１）
【発明の開示】
【発明が解決しようとする課題】
【０００５】
しかしながら、上述した機器の動作確認機能では、複数のスイッチを押しながらメンテナンスモードに移行して状態を確認する必要があり、操作性が複雑であるとともに、状態の確認のみで実際の機器動作をおこなって確認することができなく、実際に動作が可能かどうか判断できないという問題点があった。
【課題を解決するための手段】
【０００６】
上記課題を解決するために、本発明においては、電気機器と接続し、外部から信号を受信して前記電気機器の制御を行なう装置であって、電気機器の動作チェックとをおこなうために動作確認モードの設定を行なう設定入力手段と、接続する前記電気機器のオンオフを行なうようあらかじめプログラムされた動作確認手段とを備え、前記設定入力手段で動作確認モードに設定されたら前記動作確認手段により接続する前記電気機器を所定時間ずつ連続してオンオフを行なうようにした構成とした。
【発明の効果】
【０００７】
以上で説明したように、本発明によれば、機器アダプタを設置する際に、機器アダプタ自身の動作や、電気機器との配線および電気機器の動作が可能かを容易に、他の治具や装置を使用せずに確認することができるという施工性、経済性に優れている。
【０００８】
また、表示手段を設けることにより、動作確認モード状態と通常使用状態とを表示することで、通常使用状態へ戻し忘れることを防止するという作業品質の向上をすることができる。
【０００９】
また、電灯線通信の通信手段を設けることにより、電気機器と機器アダプタとの設置場所が離れているような場合にでも電気機器の近くで作業をおこなうことができるという作業性に優れている。
【発明を実施するための最良の形態】
【００１０】
以下に、本発明の実施の形態を図面を参照して説明する。
【００１１】
（実施の形態１）
図１は本発明の実施の形態１の動作確認機能付機器アダプタの構成図を示す。そして、１は機器アダプタ、２は電源部５からの電圧を機器アダプタ１に取込む入力部、３は前記入力部２に取込んだ電源の１相を切替えて、外部中間スイッチ６に接続する内部切替えスイッチ、４は動作確認モードの設定をおこなう設定入力手段、５は機器アダプタ１や電気機器の一例である照明装置７に電源を供給する商用周波数の電源部、１１は前記設定入力手段４で設定された場合に、機器のオンオフが正常な状態で動作するかを確認するための動作確認モードの動作をおこなう動作確認手段、１２は動作確認モード時に機器のオンオフが正常に動作しているかどうかを表示する表示手段、８は設定入力手段４からの信号を入力し、その信号によって動作確認手段１１に指令をおこなうとともに、動作確認モードの状態を示す表示手段１２に表示指令をおこない、通信部９へ通信制御をおこなう演算処理部、９は機器アダプタの外部にある通信機器と通信をおこなう通信部、１０は機器アダプタを動作させるための回路電源、６は外部に設置され、照明装置７の電源をオンオフするスイッチ、７は機器アダプタ１により制御される照明装置を示す。
【００１２】
次に、このような構成の機器の動作、作用について説明する。照明装置７はＯＮ／ＯＦについて示しており、電源部５の２線の電源線が接続され電圧が供給されることで照明装置７が点灯され、片側の線がＯＦＦされ、電圧が供給されない場合に消灯する構成となっている。従って、照明装置７が点灯する条件は、内部切替スイッチ３と外部中間スイッチ６がともにＯＮする場合のみでその他の状態では、全て消灯となる。この場合では内部切替スイッチ３と外部中間スイッチ６がＳとａまたはＲとｂの組み合わせのときである。外部の中間スイッチ６は室内の壁等に設置され、人が照明装置７を点消灯したいときに入り切りするものである。
【００１３】
機器アダプタには設定入力手段４としてのスイッチが設けられており、このスイッチのオン情報が動作確認モードへの移行信号として入力され、この入力信号を演算処理部８に伝達し、機器アダプタの動作確認モード状態へ移行する。設定入力手段４としてのスイッチをオフすると動作確認モードが終了する。
【００１４】
動作確認モード状態へ移行後、動作確認手段１１からの入力信号を演算処理部８に伝達する毎に、演算処理部８が、内部切替スイッチ３をオンオフを交互に繰返し制御をおこなうようにしている。演算処理部８は、機器アダプタ本体の機能発揮のための処理実行を行っているが、そのひとつとして、照明装置７の動作確認モードへの移行ならびに動作制御も行う。
【００１５】
なお、ここでは動作確認手段１１からの入力信号を入力する毎にオンオフ制御を繰り返すように説明したが、入力信号を最初に１回おこなうことで、その後は一定時間毎に自動的に連続オンオフするようにしてもよく、設定入力手段からの信号入力があった場合に、演算処理部内で一定間隔を刻むタイマー機能を設けておいてそのタイマーの間隔毎に制御信号を出力することでオンオフを実現できる。
【００１６】
このようにすることで、機器アダプタを設置した際に、リモコンや専用の装置を用いずに即座に機器アダプタの動作および電気機器への接続配線が正しいか、電気機器が正しく動作するかを容易に確認することができる。なお、電気機器の制御をおこなうための手段として内部切替スイッチ３を切り替えておこなうようにしているが、これに限定されることはなく、電気機器との間を専用線の通信でおこなう場合や日本電機工業会（ＪＥＭ）規格のＪＥＭ−Ａ端子をでおこなうことでもよい。なお、設定入力手段４および動作確認手段１１は、簡単な押しボタンスイッチであってもよい。
【００１７】
次に、表示手段１２は、設定入力手段４の入力により、動作確認モード状態へ移行した後、演算処理部８からの指令により、表示手段１２を点灯させるようにしている。
【００１８】
このようにすることで、動作確認モード状態で動作していることを明示する事ができるため、機器アダプタ設置時に動作確認モード状態で試験した後、再度通常の使用状態に戻し忘れが無いようにすることができる。
【００１９】
次に通信部９は、電灯線に信号を重畳させ通信をおこなう電灯線通信部であり、設定入力手段４の入力により、動作確認モード状態へ移行した後、動作確認手段からの入力信号の代わりに電灯線を介して簡単なオンオフ信号を送信することで同様の電気機器の制御をおこなうことができるようにしている。
【００２０】
このようにすることで、機器アダプタの本体から離れた場所に電気機器が設置されている場合であっても、電灯線が必ず電気機器の付近にあるため電気機器の近くで動作確認をすることができる。
【００２１】
なお、本実施の形態では、電気機器として、照明装置の例を示したが、本発明の機器アダプタの制御対象となる電気機器は、照明装置に限定するものではなく、機器アダプタの機能を内部に組み込む電気機器も照明装置に限定するものではない。
【産業上の利用可能性】
【００２２】
本発明は、電灯線や、無線を用いた電気機器や電子機器間の通信に用いられる機器アダプタに用いることが可能である。
【図面の簡単な説明】
【００２３】
【図１】本発明の実施の形態１の機器アダプタの構成を示す構成図
【図２】従来の実施例における構成図
【符号の説明】
【００２４】
１  機器アダプタ
２  入力部
３  内部切替スイッチ
４  設定入力手段
５  電源部
６  外部中間スイッチ
７  電気機器（照明装置）
７a メンテナンスＬＥＤ
８  演算処理部
９  通信部
１０  回路電源部
１１  動作確認手段
１２  表示手段
３１、３２、３３、３４、４１  調理用スイッチ
５１、５２  調理用表面スイッチ
６２  消火ボタン
【図１】
2005216709.tif 000003
【図２】
2005216709.tif 000004